(57)【要約】【課題】本発明は、一日に飲む分量をまとめて一箇所に一日分として区分し、若しくはその一箇所を朝、夜の二箇所に、もしくは朝、昼、夜の三箇所に区分して収容し、該当日に一日分をまとめて若しくは、該当服用時毎に送り出すことのできる回転薬配分毎取出器の提供。【解決手段】回転区画収容盤を枢軸により台盤に回転自在に枢支し、回転区画収容盤に、環状に区画された列置された底板のない区画収容部と、その区画収容部に下方から重合する台盤の上台座板に開設する連通孔と一致するとき、その連通孔を通じて区画収容部毎に配分収容された薬を重力作用で下方の台盤に送り出す回転薬配分毎取出器。【選択図】図６
2006187321.tif 000002
【特許請求の範囲】
【請求項１】
回転区画収容盤を枢軸により台盤に回転自在に枢支し、回転区画収容盤に、環状に区画された列置された底板のない区画収容部と、その区画収容部に下方から重合する台盤の上台座板に開設する連通孔と一致するとき、その連通孔を通じて区画収容部毎に配分収容された薬を重力作用で下方の台盤に送り出す回転薬配分毎取出器。
【請求項２】
前記回転区画収容盤は、台盤における平板面の上台座板に対して枢軸を中心として同心に、所要大径半径で、底面より所要高さ起立する収容外周壁と、その内側に所要小径半径で、同じく底面より所要高さ起立する収容内周壁を立設し、それら収容外周壁と収容内周壁との間に区画立壁を、枢軸の中心より所要の角度毎に放射する放射線に沿って立設し、区画立壁と区画立壁の間を底板で閉鎖されない区画収容部を環状に所要箇所列設し、その一箇所または数箇所を一日分とし、区画収容部の上面には、環状蓋を被蓋し、前記収容内周壁の内側は、所要の厚みの底板部を収容内周壁の下端に接続して関連の小物収容部に設け、前記収容外周壁に操作指掛りを前記区画収容部の箇所に適合する所定間隔毎に設けてなる請求項１の回転薬配分毎取出器。
【請求項３】
前記台盤における上台座板の連通孔に対応して回転規制手段を設けて、回転区画収容盤の区画収容部に適合して回転区画収容盤を枢軸の回りに回転できるように設けてなる請求項１または請求項２の回転薬配分毎取出器。
【請求項４】
台盤における上台座板の連通孔に対応する下方の台盤に薬受皿置き部を設け、薬受皿を載置してなる請求項１、請求項２または請求項３の回転薬配分毎取出器。
【請求項５】
前記回転区画収容盤の小物収容部には、蓋板により閉鎖可能に設け、また、蓋板は透明部材により設け、その側周内壁に沿う裏面内側に、前記回転区画収容盤の区画収容部と対応して１〜３１の日付文字表示板を固着配備し、その日付文字表示板のさらに裏面内側に、蓋板の内壁に対応端が固着される支承板をもってスライド可能に曜日表示板を支承し、該当月の日付と曜日をあわせて表示できるように配備してなる請求項１、請求項２または請求項３の回転薬配分毎取出器。
【請求項６】
蓋板の裏面に指針板を、その基端を蓋板の中心を上下に貫通する軸受孔に挿通したネジ軸により外側の摘みと一体に、適度の弾力制御をもって回転可能に軸支して設け、指針板を前記日付文字表示板の特定日付文字指すことができるようにしてなる請求項１、請求項２または請求項３の回転薬配分毎取出器。
【発明の詳細な説明】
【技術分野】
【０００１】
本発明は、一日に飲む分量をまとめて一箇所に一日分として区分し、若しくはその一箇所を午前、午後の二箇所に、もしくは朝、昼、夜の三箇所に再区分して収容し、該当日に一日分をまとめて若しくは、該当時期に送り出すことのできる回転薬配分毎取出器に関するものである。
【背景技術】
【０００２】
実用新案登録第３０８３１３９号公報には、箱内を一日分の朝、昼、夜、その他に小分けした列を一週間の７列に区分した薬箱が提案されている。
【０００３】
特開２００２−２３３５６４号公報には、本体ケース２を縦７段、横５列の引出収容部４に区画し、各引出収容部４に一日分の服用時間別に区分した引出し３を収容してなる薬箱が提案されている。
【０００４】
特開２００２−１２６０４２号公報には、透明または半透明の合成樹脂で成型した薬箱２に、一箱に対して一日分の薬を収納して積み重ね、上段から服用済みの薬箱２を外して行く薬箱ユニットが提案されている。
【０００５】
特開２００２−９５７２２号公報には、上方を出入り口とした外ケース１１と、この外ケースに連なる外蓋１３と、外ケース１１に出し入れ可能に設けられた複数の収納ケース１２とを具えて構成される薬箱１０が提案されている。
【０００６】
実用新案登録第３０２４１８０号公報には、ボード１００に行列状に区画部２１を設け、各行の見出しとして曜日表示２２、各列の見出しとして服用時間帯表示２３を設け、個々の区画部２１には、服用薬を収容するための透明な収容袋５０を着脱自在に接着テープで貼着してなるめくり型の医薬品の服用予定管理用具が提案されている。
【０００７】
実用新案登録第３０８５７３４号公報には、側周面側に等間隔に区分された薬収納室３３を形成した円形回転円盤３を水平軸回りに回転自在に取付け、各薬品収納室３３を覆う透明蓋２２を円形回転盤３の側周面の外周に沿って取付け、その透明蓋２２の上半分側の一部に薬品投入口２４を設け、円形回転盤３の透明蓋２２の斜め下側位置に薬品排出口２５を設けている回転式薬品箱１が提案されている。
【特許文献１】実用新案登録第３０８３１３９号公報
【特許文献２】特開２００２−２３３５６４号公報
【特許文献３】特開２００２−１２６０４２号公報
【特許文献４】特開２００２−９５７２２号公報
【特許文献５】実用新案登録第３０２４１８０号公報
【特許文献６】実用新案登録第３０８５７３４号公報
【発明の開示】
【発明が解決しようとする課題】
【０００８】
実用新案登録第３０８３１３９号公報の箱内を一日分の朝、昼、夜、その他に小分けした列を一週間の７列に区分した薬箱では、そこから取出して服用するという点では、患者には同じ面倒があり、飲み忘れを起こす点でも同様である。
【０００９】
特開２００２−２３３５６４号公報の薬箱は、整理、整頓されて専門家には最適であるが、一般患者には、引出しが沢山有りすぎて、どの引出しを開けるべきかの表示がなく、飲み忘れを起こすおそれがある。
【００１０】
特開２００２−１２６０４２号公報の薬箱ユニットは、一日分を一つの箱に収納するため、整理箱としては優れているが、前述の従来例と同様に、服用忘れの対策表示がなく、また、全体としては嵩張るものである。
【００１１】
特開２００２−９５７２２号公報の薬箱は、外ケース１１に出し入れ可能な複数の収納ケース１２からなるので、薬の整理、保管には優れているが、服用したかどうかについての明示性に欠けるものである。
【００１２】
実用新案登録第３０２４１８０号公報の医薬品の服用予定管理用具は、ボードに区画部をカレンダー型に設け、その各日付の区画部に薬を透明袋に入れて貼着しておくものであるから、透明袋に薬を収納・貼着の作業を必要とし、特に、各種の薬を組合せて服用するものであるから、整理に面倒である。
【００１３】
実用新案登録第３０８５７３４号公報の回転式薬品箱１は、側周面側に等間隔に区分された
薬品収納室が、水平軸回りに回転する円形回転円盤に構成されるので、上半分側の一部に薬品投入口２４と、下側位置に薬品排出口２５との間で、回転盤の半周分しか薬品収納室３３に利用できない欠点がある。
【００１４】
従来のような方法では、服用する者にとって面倒であるばか、心身等に障害のない者でさえ、飲み忘れ、誤って２度飲み等があり、市販の効力の弱い薬と異なり、医師の処方によるものは、病状の悪化や副作用等で健康を害する恐れがあり、度重なると非常に危険である。
【００１５】
本発明は、かかる問題の解決のため、服用する薬を簡単な方法で取り出し、飲み忘れや飲み過ぎをなくすために明確に表示し、確認できるように案出したものである。
【課題を解決するための手段】
【００１６】
薬を服用する日付けを表示し、その日の服用する薬を確認できるようにして、その薬の有無により誤りをなくすようにすることで、本人以外の家族や介護者でも確認できるようにしたもので、回転区画収容盤を枢軸により台盤に回転自在に枢支し、回転区画収容盤に、環状に区画された列置された底板のない区画収容部と、その区画収容部に下方から重合する台盤の上台座板に開設する連通孔と一致するとき、その連通孔を通じて区画収容部毎に配分収容された薬を重力作用で下方の台盤に送り出す回転薬配分毎取出器にある。
【００１７】
前記回転区画収容盤は、台盤における平板面の上台座板に対して枢軸を中心として同心に、所要大径半径で、底面より所要高さ起立する収容外周壁と、その内側に所要小径半径で、同じく底面より所要高さ起立する収容内周壁を立設し、それら収容外周壁と収容内周壁との間に区画立壁を、枢軸の中心より所要の角度毎に放射する放射線に沿って立設し、区画立壁と区画立壁の間を底板で閉鎖されない区画収容部を環状に所要箇所列設し、その一箇所または数箇所を一日分とし、区画収容部の上面には、環状蓋を被蓋し、前記収容内周壁の内側は、所要の厚みの底板部を収容内周壁の下端に接続して関連の小物収容部に設け、前記収容外周壁に操作指掛りを前記区画収容部の箇所に適合する所定間隔毎に設けてなるものとしてもよいものである。
【００１８】
前記台盤における上台座板の連通孔に対応して回転規制手段を設けて、回転区画収容盤の区画収容部に適合して回転区画収容盤を枢軸の回りに回転できるように設けてなるものとしてもよいものである。
【００１９】
台盤における上台座板の連通孔に対応する下方の台盤に薬受皿置き部を設け、薬受皿を載置してなるものとしてもよいものである。
【００２０】
前記回転区画収容盤の小物収容部には、蓋板により閉鎖可能に設け、また、蓋板は透明部材により設け、その側周内壁に沿う裏面内側に、前記回転区画収容盤の区画収容部と対応して１〜３１の日付文字表示板を固着配備し、その日付文字表示板のさらに裏面内側に、蓋板の内壁に対応端が固着される支承板をもってスライド可能に曜日表示板を支承し、該当月の日付と曜日をあわせて表示できるように配備してなるものとしてもよいものである。
【００２１】
蓋板の裏面に指針板を、その基端を蓋板の中心を上下に貫通する軸受孔に挿通したネジ軸により外側の摘みと一体に、適度の弾力制御をもって回転可能に軸支して設け、指針板３４を前記日付文字表示板の特定日付文字指すことができるようにしてなるものとしてもよいものである。
【発明の効果】
【００２２】
今までは、薬の飲み忘れ等があっても、本人および家族、介護者がその誤りを確認することが困難であったが、本発明の回転薬配分毎取出器では、そのことを明確に確認することができ、薬を正しく服用することができる。そして、診療日には薬が処方されるので、それ以降のものは余分なものであり、そのときに薬の投与を削減してもらえばよい。薬は余分に与えられる場合が多く、長期にわたり無駄にされており、薬は高価であり、本人の負担のみならず、保険による国費の無駄を無くすことになる。
【００２３】
本発明の回転薬配分毎取出器は、高齢者、病弱者および障害を持つ人にも取り扱えるものである。例えば、重い身体的な障害があっても、片腕と二本の指が動かせれば充分である。また高齢等による記憶に障害があっても目で確認することができ、もし、誤りがあれば家族や介護者が直ぐに気付くことができる。
【００２４】
また、視覚に障害があっても日付けを点字にし、回転板に朝夕等の印（凹凸）を付けることで充分である。
【００２５】
健康な者でも、健康維持のために飲まれている粒状のサプリメントも、この回転薬配分毎取出器を使用すると、管理が大変に便利になる。
【発明を実施するための最良の形態】
【００２６】
回転区画収容盤を枢軸により台盤に回転自在に枢支し、回転区画収容盤に、環状に区画された列置された底板のない区画収容部と、その区画収容部に下方から重合する台盤の上台座板に開設する連通孔と一致するとき、その連通孔を通じて区画収容部毎に配分収容された薬を重力作用で下方の台盤に送り出す回転薬配分毎取出器において、前記回転区画収容盤は、台盤における平板面の上台座板に対して枢軸を中心として同心に、所要大径半径で、底面より所要高さ起立する収容外周壁と、その内側に所要小径半径で、同じく底面より所要高さ起立する収容内周壁を立設し、それら収容外周壁と収容内周壁との間に区画立壁を、枢軸の中心より所要の角度毎に放射する放射線に沿って立設し、区画立壁と区画立壁の間を底板で閉鎖されない区画収容部を環状に所要箇所列設し、その一箇所または数箇所を一日分とし、区画収容部の上面には、環状蓋を被蓋し、前記収容内周壁の内側は、所要の厚みの底板部を収容内周壁の下端に接続して関連の小物収容部に設け、前記収容外周壁に操作指掛りを前記区画収容部の箇所に適合する所定間隔毎に設け、前記台盤における上台座板の連通孔に対応して回転規制手段を設けて、回転区画収容盤の区画収容部に適合して回転区画収容盤を枢軸の回りに回転できるように設け、前記台盤における上台座板の連通孔に対応する下方の台盤に薬受皿置き部を設け、薬受皿を載置し、前記回転区画収容盤の小物収容部には、蓋板により閉鎖可能に設け、また、蓋板は透明部材により設け、その側周内壁に沿う裏面内側に、前記回転区画収容盤の区画収容部と対応して１〜３１の日付文字表示板を固着配備し、その日付文字表示板のさらに裏面内側に、蓋板の内壁に対応端が固着される支承板をもってスライド可能に支承し、該当月の日付と曜日をあわせて表示できるようにする曜日表示板を配備し、前記蓋板の裏面に指針板を、その基端を蓋板の中心を上下に貫通する軸受孔に挿通したネジ軸により外側の摘みと一体に、適度の弾力制御をもって回転可能に軸支して設け、指針板３４を前記日付文字表示板の特定日付文字指すことができるようにしてなる回転薬配分毎取出器。
【実施例１】
【００２７】
この発明の回転薬配分毎取出器を図１〜図５に示す第１実施例の回転薬配分毎取出器１により説明すると、回転区画収容盤２を枢軸３により台盤４に回転自在に枢支し、回転区画収容盤２に、環状に区画された列置された底板のない区画収容部５と、その区画収容部５に下方から重合する台盤４の上台座板６に開設する連通孔７と一致するとき、その連通孔７を通じて区画収容部５毎に配分収容された薬８を重力作用で下方の台盤４に送り出す回転薬配分毎取出器１にある。
【００２８】
前記回転区画収容盤２は、台盤４における平板面の上台座板６に対して枢軸３を中心として同心に、所要大径半径で、底面より所要高さ起立する収容外周壁９と、その内側に所要小径半径で、同じく底面より所要高さ起立する収容内周壁１０を立設し、それら収容外周壁９と収容内周壁１０との間に区画立壁１１を、枢軸３の中心より３６０／６４の角度毎に放射する放射線に沿って立設し、区画立壁１１と区画立壁１１の間を底板で閉鎖されない環状に６４箇所列設し、その二箇所で一日分、としている。そこで、この第１実施例は、朝夜の二回の服用に適する。これが一日、一回であれば、３６０／３２の角度毎に放射する放射線の分割でよくも、一日朝、昼、夜の三回となると、３６０／９６の角度毎の放射線の分割となる。その第１実施例の区画収容部５の上面には、透明の環状蓋１２を被蓋する。前記収容内周壁１０の内側は、所要の厚みの底板部１３を収容内周壁１０の下端に接続して関連の小物収容部１４に設けている。
【００２９】
前記収容外周壁９の上縁に操作指掛り１５を前記区画収容部５の一日二箇所に適合する所定間隔毎に下側から窪ませて具える逆Ｌ型操作輪部１６の内径縁１６ａを接続して形成し、底板部１３の中心に透孔１７を設け、前記枢軸３を遊嵌して挿通している。
【００３０】
押えばね板１８は、前記回転区画収容盤２を台盤４における上台座板６に回転自在に支承するとき、枢軸３の鍔部３ａと蝶ナット１９との間で弾力性が出るようにし、適度な回転抵抗をもって回転自在に支承するものである。この押えばね板１８は、第１実施例では、上記のように小物収容部１４に配備したが、図示しないが、台盤４おける上台座板６の下側に配備してもよいものである。その場合、底板部１３の中心に透孔１７は、枢軸３と適合する軸受孔となる。また、前記押えばね板１８は、金属製の板ばね、コイルスプリングに代えることができる。
【００３１】
前記台盤４における上台座板６は、図４では上方台座板６ａと下方上台座板６ｂとから設けているが、一枚板に形成してもよく、それら上方上台座板６ａと下方上台座板６ｂには、前記区画収容部５の一つと対応する大きさの前記連通孔７を開設している。そして、図４の第１実施例では、下上台座板６ｂの下面に中心と同心の円筒型中間部２０を介して台盤４の底座部２１の上面２１ａに接続し、一体に設けている。
【００３２】
前記下方上台座板６ｂの中心部の下面に補強板２２、２３を重合接着し、枢軸３のネジ部３ｂを、特に補強板２３の軸受孔２３ａに挿通すると共に、枢軸３の下端面と、ネジ部３ｂに螺合する蝶ナット１９により座金２４を介在し、補強板２３を締付け、枢軸３を固着している。台盤４を合成樹脂材により射出成型するときは、一体に成型されること勿論である。この構成により、前記回転区画収容盤２は、台盤４に対して適度の弾力抵抗を得て軸支され、回転可能に設けられるのである。
【００３３】
前記台盤４における上台座板６の連通孔７に対応して支持具２５を接続し、この支持具２５を一方の手の指で押え、他方の手の指を回転区画収容盤２の操作指掛り１５に掛け、回転区画収容盤２を枢軸３の回りに回転できるように設けている。
【００３４】
また、台盤４における上台座板６の連通孔７に対応する下方の台盤４の底座部２１の上面２１ａに薬受皿置き用係合凹陥部２６を設け、薬受皿２７を載置している。薬受皿２７に磁性板２８、台盤４における底座部２１に磁石板２９を配備すると、薬受皿２７を安定して載置することができる。
【００３５】
前記回転区画収容盤２の小物収容部１４には、蓋板３０により閉鎖可能に設け、また、蓋板３０は透明部材により設け、その側周内壁３０ａに沿う裏面内側に、前記回転区画収容盤２の区画収容部５と対応して１〜３１の日付文字表示板３１を固着配備し、その日付文字表示板３１のさらに裏面内側に、蓋板３０の側周内壁３０ａに対応端が固着される支承板３２をもってスライド可能に支承する曜日表示板３３を配備している。なお、この曜日表示板３３の内径縁を凹凸部３３ａに形成して、この凹凸部３３ａを指掛にスライドさせて該当月の日付と曜日をあわせて表示できるようにしている。
図示しないが、日付文字表示板３１と曜日表示板３３とが一体で、日付と曜日を一致した月別の環状カレンダー盤を蓋板３０の表面又は裏面に貼着するようにしてもよいものである。
また、蓋板３０の裏面に指針板３４を、その基端を蓋板３０の中心を上下に貫通する軸受孔３５に挿通したネジ軸３６により外側の摘み３７と一体に、適度の弾力制御をもって回転可能に軸支して設け、指針板３４を前記日付文字表示板３１の特定日付文字、例えば、図３に示すように文字「２９」を指すことができるようにしている。図３の日付文字表示板３１の日付文字、曜日表示板３３の曜日文字および指針板３４が実線で表示しているのは、蓋板３０が透明部材により構成していることによる。
【００３６】
この発明の第１実施例の回転薬配分毎取出器１は、前述のように構成されるから、回転区画収容盤２の透明の環状蓋１２を外して環状に区画された列置された底板のない区画収容部５に開封された錠剤等の薬８を、所定種、所定量を収容した後、再び透明の環状蓋１２により区画収容部５を被蓋し、回転区画収容盤２を回転し、日付文字表示板３１の日付を支持具２４に合わせと、一日分を二回回転して、その都度、当該区画収容部５は、台盤４の上台座板６に開設する連通孔７に一致し、その連通孔７を通じて当該区画収容部５の配分収容された薬８を二回、下方に送り出し、薬受皿２７に入れるものである。よって、薬受皿２７を取り出し内部の薬８を朝夜の二回服用することができるものである。よって、予め最大３１日分の錠剤等の薬を区分け配分しておけるので、日付を朝、夜に合わせるだけで必要な薬を取出すことかできる。
前記実施例では、区画収容部５を日付で表示し、二等分しているが、区画収容部５を三等分として一日を朝昼夜の三区分に表示することもできるものである。
また、二等分のままで、図示しないが、枢軸３の中心側に第３区画収容部を設け、これに対応する第２連通孔を底座部２１に設けることにより、朝、昼の回転で、第３区画収容部の配分薬が下方に落下し、第２連通孔に対応して新しく設けた前記薬受皿２７の第２薬受部に収容し、昼分の薬を薬受皿２７に受けたとき、夜分の薬を配分し、夜の服用薬を準備することができるものである。
また、月に寄って変る日付と曜日の関係を、曜日表示板３３を回動して合せる方法または環状カレンダーを貼り替えで変えることは勿論できる。
【実施例２】
【００３７】
次に、図６〜図１０に示す、この発明の第２実施例の回転薬配分毎取出器３８を説明すると、第１実施例の回転薬配分毎取出器１と同様に、回転区画収容盤３９を枢軸４０により台盤４１に回転自在に枢支し、この回転区画収容盤３９に、環状に区画された列置された底板のない区画収容部４２と、その区画収容部４２に下方から重合する台盤４１の上台座板４３に開設する連通孔４４と一致するとき、その連通孔４４を通じて区画収容部４２毎に配分収容された薬８を重力作用で下方の台盤４１に送り出す回転薬配分毎取出器３８にある。
【００３８】
前記回転区画収容盤３９は、台盤４１における平板面の上台座板４３に対して枢軸４０を中心として同心に、所要大径半径で、底面より所要高さ起立する収容外周壁４５と、その内側に所要小径半径で、同じく底面より所要高さ起立する収容内周壁４６を立設し、それら収容外周壁４５と収容内周壁４６との間に区画立壁４７を、枢軸４０の中心より３６０／６４の角度毎に放射する放射線に沿って立設し、区画立壁４７と区画立壁４７の間を底板で閉鎖されない区画収容部４２を環状に６４箇所列設し、その二箇所で一日分、としている。そこで、この第２実施例も第１実施例と同様に、朝夜の二回の服用に適する。これが一日、一回であれば、３６０／３２の角度毎に放射する放射線の分割でよくも、一日朝、昼、夜の三回となると、３６０／９６の角度毎の放射線の分割となる。その上面には、透明の環状蓋４８を被蓋する。前記収容内周壁４６の内側は、所要の厚みの底板部４９を収容内周壁４６の下端に接続して小物収容部５０に設けている。底板部４９の中心に透孔５１を設け、前記枢軸４０を遊嵌して挿通している。
【００３９】
前記収容外周壁４５の上縁に逆Ｌ字型の飾り縁輪部５２を接続して形成し、反対の下端には、外周面に指掛波形突起５３を前記区画収容部４２の二つ突起をもってワンピッチ、すなわち、一日分に形成している。
【００４０】
前記上台座板４３の連通孔４４に対応して、上台座板４３の外縁部に操作用切欠部５４を設け、その操作用切欠部５４内に前記指掛波形突起５３を通過するように設けている。そこで、その操作用切欠部５４内に指を差入れて指掛波形突起５３に指を掛けて回転区画収容盤３９を台盤４１の枢軸４０を中心に、操作用切欠部５４の対応する内側面に指が当る迄押して区画収容部４２を回転移動できるように設けている。一日分はこの第実施例でも二回押すことになる。
【００４１】
また、前記台盤４１における上台座板４３の外径面は、収容外周壁４５より外側に同一板面状で延設されると共に上台座板４３より帯環状にかつ上下に突出する飾り兼保護環状縁５５を、前記操作用切欠部５４を除いて形成し、該操作用切欠部５４を除いて指掛波形突起５３を内側に格納している。
【００４２】
押えばね板５６は、前記回転区画収容盤３９を台盤４１における上台座板４３に回転自在に支承するとき、第１実施例の回転薬配分毎取出器１と同様に、枢軸４０の鍔部４０ａと蝶ナット５７との間で弾力性が出るようにし、適度な回転抵抗を持って回転自在に支承するものである。この押えばね板５６は、第１実施例の回転薬配分毎取出器１では、上記のように小物収容部５０に配備したが、図示しないが、台盤４１おける上台座板４３の下側に配備してもよいものである。その場合、底板部４９の中心に透孔５１は、枢軸４０と適合する軸受孔となる。また、前記押えばね板５６は、金属製の板ばね、コイルスプリングに代えることができる。
【００４３】
前記台盤４１における上台座板４３は、図８では上方上台座板４３ａと下方上台座板４３ｂとから設けているが、第１実施例の回転薬配分毎取出器１と同様に、一枚板に形成してもよく、それら上方上台座板４３ａと下方上台座板４３ｂには、前記区画収容部４２の一つと対応する大きさの前記連通孔４４を開設している。そして、図８の第２実施例の回転薬配分毎取出器３８では、下上台座板４３ｂの下面に中心と同心の円筒型中間部５８を介して台盤４１の底座部５９の上面５９ａに接続し、一体に設けている。
【００４４】
前記円筒型中間部５８に中間板６１を接続し、中心に軸受孔６２を開設し、枢軸４０のネジ部４０ｂを軸受孔６２に挿通し、ネジ部４０ｂに螺合する蝶ナット５６により中間板６１を締付け、枢軸４０を固着している。台盤４１を合成樹脂材により射出成型するときは、適宜部品の形状および組合せを変更して、前記回転区画収容盤３９が台盤４１に対して適度の弾力抵抗を得て軸支され、回転可能に設けられるのである。
【００４５】
前記台盤４１における上台座板４３の連通孔４４および操作用切欠部５４に対応する下方に、上台座板４３から垂下する薬受皿置部６３を設け、薬受皿６４を載置している。図示しないが、第１実施例の台盤４上における薬受皿２７の磁性板２８を薬受皿６４に、台盤４における底座部２１の磁石板２９を薬受皿置部６３に配備すると、薬受皿６４を安定して載置することができる。
【００４６】
前記回転区画収容盤３９の小物収容部５０には、蓋板６５により閉鎖可能に設け、また、蓋板６５は透明部材により設け、その側周内壁６５ａに沿う裏面内側に、前記回転区画収容盤３９の区画収容部４２と対応して１〜３１の日付文字表示板６６を固着配備し、その日付文字表示板６６のさらに裏面内側に、蓋板６５の側周内壁６５ａに対応端が固着される支承板６７によりスライド可能に支承する曜日表示板６８を配備している。なお、この曜日表示板６８の内径縁を凹凸部６８ａに形成して、この凹凸部６８ａを指掛にスライドさせて該当月の日付と曜日をあわせて表示できるようにしている。
【００４７】
また、蓋板６５の裏面に指針板６９を、その基端を蓋板６５の中心を上下に貫通する軸受孔７０に挿通したネジ軸７１により外側の摘み７２と一体に、適度の弾力制御をもって回転可能に軸支して設け、指針板６９を前記日付文字表示板６６の特定日付文字、例えば、図６に示すように文字「２９」を指すことができるようにしている。図６の日付文字表示板６６の日付文字、曜日表示板６８の曜日文字および指針板６９が実線で表示しているのは、蓋板６５が透明部材により構成していることによる。
【００４８】
この発明の第２実施例の回転薬配分毎取出器３８は、前述のように構成されるから、回転区画収容盤３９の透明の環状蓋４８を外して環状に区画された列置された底板のない区画収容部４２に開封された錠剤等の薬８を、所定種、所定量を収容した後、再び透明の環状蓋４８により区画収容部４２を被蓋し、台盤４１の操作用切欠部５４内に指を差入れて指掛波形突起５３に指を掛けて日付方向に一コマ送ると、回転区画収容盤３９の区画収容部４２と台盤４１の連通孔４４とが一致し、区画収容部４２に収容されている薬８は落下し、薬受皿６４に収容されるものである。よって、第１実施例の回転薬配分毎取出器１と同様に薬受皿６４を取り出し内部の薬８を服用するものである。
【００４９】
前記実施例では、区画収容部５を一日分を二等分に区分したが、一日を朝昼夜の三区分に区画することもできるものである。
また、第１の実施例と同様に、二等分のままで、図示しないが、枢軸４０の中心側に第３区画収容部を設け、これに対応する第２連通孔を底座部５９に設けることにより、朝、昼の回転で、第３区画収容部の配分薬が下方に落下し、第２連通孔に対応して新しく設けた前記薬受皿６４の第２薬受部に収容し、昼分の薬を薬受皿６４に受けたとき、夜分の薬を配分し、夜の服用薬を準備することができるものである。
また、月に寄って変る日付と曜日の関係を、曜日表示板６８を回動して合せることは勿論であるが、日付と曜日を組合せて印刷した環状カレンダーを貼り替えることによってもできる。なお、月に寄って変る日付と曜日の関係を、一ヶ月単位で完全に一致するには、前記実施例の３２当分でなく、７の５倍の３５等分すれば、できるものである。
【００５０】
前記第１実施例、第２実施例とも回転区画収容盤２と回転区画収容盤２９を円盤型に形成したが多角型に構成することができることは勿論である。
【産業上の利用可能性】
【００５１】
本発明の回転薬配分毎取出器により、治療薬、健康維持のサプリメントの服用管理を簡単、かつ正しく行えるものである。
【図面の簡単な説明】
【００５２】
【図１】この発明の回転薬配分毎取出器の第１実施例の全体外観斜視図である。
【図２】同じく、第１実施例の構成部毎の分解斜視図である。
【図３】同じく、第１実施例の要部の回転枢支部と薬の区画部収容部と薬受皿部を示す片側部分拡大外観平面図である。
【図４】同じく、その片側部分拡大縦断面図である。
【図５】薬受皿単体の拡大斜視図である。
【図６】この発明の回転薬配分毎取出器の第２実施例の全体外観斜視図である。
【図７】同じく、第２実施例の外観側面図である。
【図８】同じく、第２実施例の要部の回転枢支部と薬の区画部収容部と薬受皿部を示す片側部分拡大縦断面図である。
【図９】同じく、第２実施例の回転区画収容盤の回転送り機構の詳細を示す部分拡大斜視図である。
【図１０】第２実施例の回転区画収容盤の薬の区画部収容部と回転送り用の指掛波形突起を示す部分拡大平面図である。
【図１１】第２実施例の台盤の上台座板における連通孔と操作用切欠部を示す部分拡大平面図である。
【符号の説明】
【００５３】
１  第１実施例の回転薬配分毎取出器
２  回転区画収容盤
３  枢軸
３ａ  鍔部
３ｂ  ネジ部
４  台盤
５  区画収容部
６  台座板
６ａ  上台座板
６ｂ  下台座板
７  連通孔
８  薬
９  収容外周壁
１０  収容内周壁
１１  区画立壁
１２  透明の環状蓋
１３  底板部
１４  小物収容部
１５  操作指掛り
１６  逆Ｌ型操作輪部
１６ａ  内径縁
１７  透孔
１８  押えばね板
１９  蝶ナット
２０  円筒型中間部
２１  底座部
２１ａ  上面
２２  補強板
２３  補強板
２３ａ  軸受孔
２４  座金
２５  支持具
２６  薬受皿置き用係合凹陥部
２７  薬受皿
２８  磁性板
２９  磁石板
３０  蓋板
３０ａ  側周内壁
３１  日付文字表示板
３２  支承板
３３  曜日表示板
３３ａ  凹凸部
３４  指針板
３５  軸受孔
３６  ネジ軸
３７  摘み
３８  第２実施例の回転薬配分毎取出器
３９  回転区画収容盤
４０  枢軸
４０ａ  鍔部
４０ｂ  ネジ部
４１  台盤
４２  区画収容部
４３  上台座板
４３ａ  上方上台座板
４３ｂ  下方上台座板
４４  連通孔
４５  収容外周壁
４６  収容内周壁
４７  区画立壁
４８  透明の環状蓋
４９  底板部
５０  小物収容部
５１  透孔
５２  飾り縁輪部
５３  指掛波形突起
５４  操作用切欠部
５５  飾り兼保護環状縁
５６  押えばね板
５７  蝶ナット
５８  円筒型中間部
５９  底座部
５９ａ  上面
６０  円筒型中間部
６１  中間板
６２  軸受孔
６３  薬受皿置部
６４  薬受皿
６５  蓋板
６５ａ  側周内壁
６６  日付文字表示板
６５ａ  側周内壁
６７  支承板
６８  曜日表示板
６８ａ  凹凸部
６９  指針板
７０  軸受孔
７１  ネジ軸
７２  摘み  
【図１】
2006187321.tif 000003
【図２】
2006187321.tif 000004
【図３】
2006187321.tif 000005
【図４】
2006187321.tif 000006
【図５】
2006187321.tif 000007
【図６】
2006187321.tif 000008
【図７】
2006187321.tif 000009
【図８】
2006187321.tif 000010
【図９】
2006187321.tif 000011
【図１０】
2006187321.tif 000012
【図１１】
2006187321.tif 000013